【手続補正書】
【提出日】平成29年2月15日(2017.2.15)
【手続補正１】
【補正対象書類名】特許請求の範囲
【補正対象項目名】全文
【補正方法】変更
【補正の内容】
【特許請求の範囲】
【請求項１】
複数のAdaptationSet要素が関連付けられることを示す第１の情報と、前記第１の情報により関連付けられた前記複数のAdaptationSet要素が選択対象である同一のグループに属していることを示す第２の情報とを含むMPD(Media Presentation Description)を生成する生成部を備える
情報処理装置。
【請求項２】
前記複数のAdaptationSet要素ごとに、１又は複数のコンポーネントが列挙され、
前記１又は複数のコンポーネントには、１又は複数のオーディオコンポーネントが含まれる
請求項１に記載の情報処理装置。
【請求項３】
前記１又は複数のコンポーネントは、前記AdaptationSet要素の配下の１又は複数のRepresentation要素に列挙される
請求項２に記載の情報処理装置。
【請求項４】
前記第１の情報及び前記第２の情報は、前記MPDのPeriod要素内に記述される要素の属性として指定される
請求項１に記載の情報処理装置。
【請求項５】
前記要素は、前記Period要素内で、前記複数のAdaptationSet要素と同一のレベルで記述される
請求項４に記載の情報処理装置。
【請求項６】
情報処理装置の情報処理方法において、
前記情報処理装置が、
複数のAdaptationSet要素が関連付けられることを示す第１の情報と、前記第１の情報により関連付けられた前記複数のAdaptationSet要素が選択対象である同一のグループに属していることを示す第２の情報とを含むMPD(Media Presentation Description)を生成するステップを含む
情報処理方法。
【請求項７】
コンピュータを、
複数のAdaptationSet要素が関連付けられることを示す第１の情報と、前記第１の情報により関連付けられた前記複数のAdaptationSet要素が選択対象である同一のグループに属していることを示す第２の情報とを含むMPD(Media Presentation Description)を生成する生成部
として機能させるためのプログラム。
【手続補正２】
【補正対象書類名】明細書
【補正対象項目名】発明の名称
【補正方法】変更
【補正の内容】
【発明の名称】情報処理装置、情報処理方法、及び、プログラム
【手続補正３】
【補正対象書類名】明細書
【補正対象項目名】０００１
【補正方法】変更
【補正の内容】
【０００１】
本技術は、情報処理装置、情報処理方法、及び、プログラムに関し、特に、MPEG-DASH方式を利用してサービスを提供することができるようにした情報処理装置、情報処理方法、及び、プログラムに関する。
【手続補正４】
【補正対象書類名】明細書
【補正対象項目名】０００８
【補正方法】変更
【補正の内容】
【０００８】
本技術はこのような状況に鑑みてなされたものであり、MPEG-DASH方式を利用してサービスを提供することができるようにするものである。
【手続補正５】
【補正対象書類名】明細書
【補正対象項目名】０００９
【補正方法】変更
【補正の内容】
【０００９】
本技術の一側面の情報処理装置は、複数のAdaptationSet要素が関連付けられることを示す第１の情報と、前記第１の情報により関連付けられた前記複数のAdaptationSet要素が選択対象である同一のグループに属していることを示す第２の情報とを含むMPD(Media Presentation Description)を生成する生成部を備える情報処理装置である。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】変更
【補正の内容】
【００１８】
本技術の一側面の情報処理方法又はプログラムは、本技術の一側面の情報処理装置に対応する情報処理方法又はプログラムである。
【手続補正１５】
【補正対象書類名】明細書
【補正対象項目名】００１９
【補正方法】変更
【補正の内容】
【００１９】
本技術の一側面の情報処理装置、情報処理方法、及び、プログラムにおいては、複数のAdaptationSet要素が関連付けられることを示す第１の情報と、前記第１の情報により関連付けられた前記複数のAdaptationSet要素が選択対象である同一のグループに属していることを示す第２の情報とを含むMPD(Media Presentation Description)が生成される。
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】削除
【補正の内容】
【手続補正２９】
【補正対象書類名】明細書
【補正対象項目名】００３３
【補正方法】変更
【補正の内容】
【００３３】
本技術の一側面によれば、MPEG-DASH方式を利用してサービスを提供することができる。